(57)【要約】【課題】抗菌作用や消臭作用があり、肌に潤いを与え、毛穴の汚れなども落とせる有効成分が確実に含まれている固形石鹸を提供すると共に、その有効成分を含有した原料の経時変化による色褪せや変色によって石鹸の見栄えや商品価値が損なわれることを防止する。【解決手段】固形石鹸１の石鹸素地２中に、抗菌作用や消臭作用を奏する成分を含む緑茶葉粉末３と、肌に潤いを与える成分を含むオリーブ葉粉末４と、毛穴の汚れを落とす成分を含む竹炭粉末５とが混入されて、その石鹸素地２が、緑茶葉粉末３とオリーブ葉粉末４の褪色や変色が目立たない黒色又は黒味を帯びた地色を呈している。【選択図】図１
0003141600.tif 000002
【実用新案登録請求の範囲】
【請求項１】
石鹸素地中に緑茶葉粉末とオリーブ葉粉末と竹炭粉末とが混入されて、石鹸素地が黒色又は黒味を帯びた地色を呈していることを特徴とする固形石鹸。
【請求項２】
石鹸素地に対する緑茶葉粉末、オリーブ葉粉末および竹炭粉末の混入比率が、各々約０．１〜１０重量％、約１〜１０重量％および約０．１〜５重量％に選定されている請求項１記載の固形石鹸。
【請求項３】
緑茶葉粉末、オリーブ葉粉末および竹炭粉末が、何れも平均粒度約１００〜３００メッシュの微粉末である請求項１又は２記載の固形石鹸。
【考案の詳細な説明】
【技術分野】
【０００１】
本考案は、洗顔石鹸や浴用石鹸として使用される固形石鹸に関する。
【背景技術】
【０００２】
この種の固形石鹸は、汚れ落ちが良いこと、すなわち洗浄力が優れていることに加えて、殺菌・抗菌作用や消臭作用があること、皮膚に優しく、肌に潤いを与え、洗顔後の皮膚につっぱり感を生じさせないこと等が要求されている。
【０００３】
この要求に応えるため、例えば、石鹸素地中に、平均粒度５００〜７００メッシュの麦飯石微細粉が１．５〜４重量％、アロエ、杏の実、川きゅう、当帰、人参、甘草等のエキスが２．０〜４．５重量％混入されたスキンケア用石鹸が提案されており、この石鹸の効果効能については、しわを予防し、アトピー性皮膚炎、ニキビ、シミ、ソバカス等のトラブルから肌を守り、皮膚細胞の再生活性化と血液の循環を促進するため、肌の柔軟性が増すと同時に、皮膚に優しく、剌激を与えないため洗顔後つっぱり感がなく、使うほどに肌が美麗になり、弱い肌を保護し、荒肌や日焼けした肌のくすみをなくし、体臭、悪臭を取り除くことができる、と記載されているが、その科学的根拠は必ずしも定かではない（特許文献１参照）。
【特許文献１】実用新案登録第３０５９５０７号公報
【考案の開示】
【考案が解決しようとする課題】
【０００４】
本考案は、抗菌作用や消臭作用を奏する有効成分や、洗顔後の皮膚につっぱり感を生じさせず肌に潤いを与える有効成分や、洗浄力を高める有効成分などが確実に含まれている固形石鹸を提供すると同時に、それらの成分が経時変化による色褪せや変色を生じて石鹸の見栄えや商品価値が損なわれることを防止することを技術的課題としている。
【課題を解決するための手段】
【０００５】
上記の課題を解決するために、本考案に係る固形石鹸は、抗菌作用や消臭作用、皮膚を収斂させる作用を奏するカテキンやカフェインの含有率が高い緑茶葉粉末と、皮膚につっぱり感を生じさせず肌に潤いを与える作用を奏する１価不活性脂肪酸のオレイン酸を多量に含有したオリーブ葉粉末と、汚れを落とす作用を奏するカリウムとケイ素を主成分とする竹炭粉末とが、石鹸素地中に混入されており、竹炭粉末の混入によって石鹸素地が黒色又は黒味を帯びた地色を呈している。
【考案の効果】
【０００６】
本考案によれば、抗菌作用や消臭作用を奏する有効成分と、洗顔後の皮膚につっぱり感を生じさせず肌に潤いを与える有効成分と、洗浄力を高める有効成分とが全て確実に含まれた高機能・高品質の固形石鹸を提供することができる。また、本考案の固形石鹸は、石鹸素地中に混入された緑茶葉粉末とオリーブ葉粉末の色が、経時変化により褪色あるいは変色して、緑色→褐色→黒色へと変化するが、その石鹸素地は、竹炭粉末の混入によって黒色又は黒味を帯びた地色を呈しているから、緑茶葉粉末とオリーブ葉粉末の褪色・変色によって見栄えが損なわれたり、商品価値が損なわれることがない。
【考案を実施するための最良の形態】
【０００７】
本考案に係る固形石鹸の最良の実施形態は、石鹸素地中に緑茶葉粉末とオリーブ葉粉末と竹炭粉末とが混入されて、石鹸素地が黒色又は黒味を帯びた地色を呈している。また、石鹸素地に対する緑茶葉粉末、オリーブ葉粉末および竹炭粉末の混入比率は、各々約０．１〜１０重量％、約１〜１０重量％および約０．１〜５重量％に選定されている。また、緑茶葉粉末、オリーブ葉粉末および竹炭粉末は、何れも平均粒度約１００〜３００メッシュ（より好ましくは、約２００メッシュ）の微粉末である。
【実施例】
【０００８】
図１は本考案に係る固形石鹸の一例構成を模式的に示す図である。
【０００９】
本例に示す固形石鹸１は、単品重量９５ｇの固形石鹸であって、その石鹸素地２中に、煎茶の茶葉を平均粒度約２００メッシュの微粉末にした緑茶葉粉末３と、乾燥したオリーブの葉を平均粒度約２００メッシュの微粉末にしたオリーブ葉粉末４と、竹を焼いて炭にした竹炭を平均粒度約２００メッシュの微粉末にした竹炭粉末５とが混入されて、石鹸素地２全体が黒色又は黒味を帯びた地色を呈している。
【００１０】
石鹸素地２に対する緑茶葉粉末３、オリーブ葉粉末４および竹炭粉末５の混入比率は、これら粉末の効果効能や価格（原料費）と固形石鹸１の販売価格との兼ね合い等に鑑みて、緑茶葉粉末３が約０．１〜１０重量％（より好ましくは約５重量％）、オリーブ葉粉末４が約１〜１０重量％（より好ましくは約１重量％）、竹炭粉末５が約０．１〜５重量％（より好ましくは約０．５重量％）の範囲内に選定されている。
【００１１】
緑茶葉粉末３には、殺菌・抗菌作用と消臭作用を奏する成分であるカテキンと、皮膚を収斂させて肌を引き締め、皺を取る作用を奏する成分であるカフェインと、肌に潤いを与える成分であるビタミンＣと、血行を良くし、皮膚・肌の再生能力を助け、メラニン色素を消失させる作用を奏する成分であるビタミンＥなどが含まれている。また、石鹸素地２に緑茶葉粉末３が約５重量％〜１０重量％混入された固形石鹸１を使用して顔や身体を洗うと、ほのかにお茶の香りが漂って、心身の疲れを癒すフレグランス効果も得られる。
【００１２】
オリーブ葉粉末４には、不乾性油で保湿力が高く、蒸発しにくい１価不活性脂肪酸のオレイン酸が多量に含まれており、このオレイン酸は、髪の毛や肌などに艶と潤いを与える作用を奏する。
【００１３】
竹炭粉末５には、竹の地中根から吸い上げられたカルシウム、カリウム、ケイ素、ナトリウム、鉄分等の天然ミネラル成分が、豊富に且つ水に溶けやすい状態で含まれており、特に含有量の多いカリウムとケイ酸が、毛穴の汚れなどを落とす洗浄作用を奏する。
【００１４】
したがって、本例の固形石鹸１は、殺菌・抗菌作用や消臭作用を有効成分と、肌を引き締めて皺を取る作用を奏する成分と、髪の毛や肌などに艶と潤いを与える作用を奏する成分と、毛穴の汚れなどを落とす洗浄作用を奏する成分とが全て含まれた高機能・高品質の石鹸であり、洗顔石鹸や浴用石鹸のみならず、洗髪用の石鹸としても好適である。
【００１５】
また、石鹸素地２中に混入する緑茶葉粉末３、オリーブ葉粉末４および竹炭粉末５の平均粒度が約１００〜３００メッシュの範囲内であれば、それら粉末の粒子が肌に触れてもザラツキ感を生じないから、石鹸の使い心地が悪くなることもない。
【００１６】
また、固形石鹸１は、石鹸素地２中に混入された緑茶葉粉末３とオリーブ葉粉末４の色彩が、経時変化により褪色・変色して、緑色→褐色→黒色へと変化するが、石鹸素地２は、竹炭粉末５が約０．１〜５重量％混入されることにより、緑茶葉粉末３とオリーブ葉粉末４の褪色・変色が目立たない黒色の地色又は黒味を帯びた地色を呈するから、緑茶葉粉末３とオリーブ葉粉末４の褪色・変色によって見栄えが損なわれたり、商品価値が損なわれることがない。
【産業上の利用可能性】
【００１７】
本考案は、洗顔石鹸やスキンケア用石鹸、浴用石鹸等として使用される固形石鹸の品質および商品価値の向上に資するものである。
【図面の簡単な説明】
【００１８】
【図１】本考案に係る固形石鹸の一例を模式的に示す図
【符号の説明】
【００１９】
１…固形石鹸
２…石鹸素地
３…緑茶葉粉末  
４…オリーブ葉粉末
５…竹炭粉末
【図１】
0003141600.tif 000003